(57)【特許請求の範囲】
【請求項１】
底部から所定間隔を隔てて設けられている、浄化材料を備える浄水部と、
前記浄水部の上下に形成されている通水路と、
に導水領域が区画されている排水用側溝であって、
前記導水領域が、さらに、正面視で左右の領域に区画されており、
前記左右の領域の何れか一方が、通水路として形成されていることを特徴とする排水用側溝。
【請求項２】
底部から所定間隔を隔てて設けられている、浄化材料を備える浄水部と、
前記浄水部の上下に形成されている通水路と、
に導水領域が区画されている排水用側溝であって、
前記下部通水路内に細長部材が延出していることを特徴とする排水用側溝。
【請求項３】
前記浄水部が、長手方向に所望の間隔を隔てて設けられていることを特徴とする請求項１または請求項２に記載の排水用側溝。
【請求項４】
前記下部通水路に連通するエアレーション設備を備えていることを特徴とする請求項１乃至請求項３のいずれか１項に記載の排水用側溝。
【請求項５】
底部から所定間隔を隔てて配置された透水性を有する底板と、前記底板の上部に所定間隔を隔てて配置されている透水性を有する上板とを備えている浄水部と、
前記浄水部の上下に形成されている通水路と、
に導水領域が区画されており、
前記浄水部には、排水の流れ方向に対向する向きに、複数のポーラスコンクリート製の邪魔板が配置されていることを特徴とする排水用側溝。
【発明の詳細な説明】
【０００１】
【発明の属する技術分野】
本発明は、生活排水や雨水等（以下、「排水」という）を導水するための排水用側溝に関する。
【０００２】
【従来の技術】
近年、排水用側溝はコンクリート構造で形成されることが一般的になってきており、当該排水用側溝内で微生物や水生植物等の生育が阻害されてしまうため、排水路における自然浄化能力が低下してしまっている。従って、排水用側溝を流れる排水の水質が悪化してしまうことから、周辺環境に悪影響を及ぼすことが懸念されている。
【０００３】
このような問題に対応するために、従来は、Ｕ字形である排水路８１を透水性の壁８３により上下に分割し、かつ、底面部側の排水路８１ｂにおける流水方向に透水性の排水路隔壁８５を設けるとともに、前記底面部側の排水路８１ｂに多数の分画された部屋８６を設け、この部屋８６内に浄化材料を充填した排水用側溝（以下、「第１排水用側溝８０」という）が存在していた（図８参照）。この第１排水用側溝８０は、前記多数の分割された部屋８６内に流入した排水等を浄化材料により浄化処理することができるようになっているものである（公開実用平成１−１８０５７８号参照）。
【０００４】
ところが、前記第１排水用側溝８０では、前記透水性の壁８３や浄化材料の上に堆積物が堆積することにより透水性が阻害されたり、浄化性能が阻害される場合があるため、当該第１排水用側溝８０を改良した排水用側溝（以下、「第２排水用側溝９０」という）が提案されている（図９参照）。
すなわち、第２排水用側溝９０は、当該第１排水用側溝８０において、前記透水性の壁８３の上、又は、前記浄化材料の上の少なくとも一方に、前記排水路８１を流れる排水の水流で回転しうる向きに配置された水車状の回転体９２を多数有する清浄器を備えたものである（特開平１０−２２７０５７号参照）。
この第２排水用側溝９０は、回転体９２を回転することにより、堆積物を水中に舞い上げて、水流と共に流すようにしたものであり、透水性の壁８３や浄化材料の上に堆積物が堆積することを防止したものである。
【０００５】
【発明が解決しようとする課題】
しかし、前記第２排水用側溝９０では、底面部側の排水路８１ｂに排水路隔壁８５が設けられているため、上側の排水路８１ａと比較して、排水の流速が遅くなってしまうとともに、それに伴い、上側の排水路８１ａの上面に汚物等が堆積してしまうという問題が依然解決されないことになる。
また、浄化材料は、透水性の壁８３と、排水路隔壁８５の間に形成されている部屋８６内に介挿されているため、その交換作業が非常に煩雑となるという問題も依然解決されないことになる。
【０００６】
本発明は前記の問題点を解決するためになされたものであり、大量の排水を円滑に処理可能であるとともに、浄化材料の交換作業が容易である排水用側溝を提供することを目的とする。
【０００７】
【課題を解決するための手段】
前記課題を解決するために、本発明の排水用側溝は、底部から所定間隔を隔てて設けられている、浄化材料を備える浄水部と、前記浄水部の上下に形成されている通水路と、に導水領域が区画されていて、前記導水領域が、さらに、正面視で左右の領域に区画されており、前記左右の領域の何れか一方が、予備の通水路として形成されていることを特徴としている。
ここで、正面視とは、排水の流れ方向に直交する方向から見た場合を示している。
【０００８】
ここで、浄化材料は、透水性部材（透水性板等）により挟装されていることや、透水性部材（網状部材等）により囲繞されていること（あるいは前記両者の複合構造であること）が、その構造上好適である。
この場合において、前記透水性部材は、所定寸法に分割して形成されていることが、設置作業を行うことや、取替作業を行う際には好適である。
また、前記透水性部材の上面に吊上支持部が付設されているものであれば、当該吊上支持部を把持等して行うことにより、容易に交換作業を行うことが可能となる。
【０００９】
さらに、浄化材料とは、排水が接触することにより、化学的反応、生物学的反応或いは吸着反応等により、各種の汚染物質を除去することが可能となる材料であり、礫、鉄粉、ゼオライト、木炭等、必要に応じて、各種の材料を使用することができる。
【００１０】
本発明によれば、浄化材料を備えている浄水部を形成し、排水を当該浄水部に通過させることで浄化材料により浄化することができる。加えて、浄水部の下部には、下部通水路が形成されていることから、浄化材料により浄化された排水を当該下部通水路において円滑に導水することができる。
また、予備の通水路を有していることから、大雨等による排水の増水時において、予備の通水路を排水が抵抗なく流れることができることから、円滑に導水を行うことが可能となり、大量に排水を処理することができる。また、排水中に土砂や礫等が混入した場合であっても、予備の通水路を通過させることが可能となり、排水が詰まること等により円滑に流れなくなることを防止することができる。
【００１１】
また、本発明の排水用側溝は、底部から所定間隔を隔てて設けられている、浄化材料を備える浄水部と、前記浄水部の上下に形成されている通水路と、に導水領域が区画されていて、前記下部通水路内に細長部材が延出していることを特徴としている。
ここで、細長部材は、紐状であり、適度の変形性能を有していることが好適であり、カーボンファイバ（炭素繊維）等を使用することができる。また、前記細長部材は、所定間隔で複数設けることが好ましいが、その数や間隔等は適宜定めることができる。
【００１２】
本発明によれば、下部通水路内に細長部材を延出させているため、当該細長部材に排水中の有機物を付着させることができ、下部通水路においても、効果的に排水の浄化を行うことが可能となる。
【００１３】
また、前記排水用側溝は、前記浄水部が、長手方向に所望の間隔を隔てて設けられているものであってもよい。
【００１４】
本発明によれば、浄水部が長手方向に所望の間隔を隔てて配置されていることから、大雨等による排水の増水時において、隣接する前記浄水部の間を排水が抵抗なく流れることができることから、円滑に導水を行うことが可能となり、大量に排水を処理することができる。また、排水中に土砂や礫等が混入した場合であっても、隣接する前記浄水部の間等を通過させることが可能となり、排水が詰まること等により円滑に流れなくなることを防止することができる。
【００１５】
また、前記排水用側溝において、前記下部通水路に連通するエアレーション設備を備えているものであってもよい。
このエアレーション設備は、所定間隔で設ければよいものであり、その数や間隔等は適宜定めることができる。
【００１６】
本発明によれば、エアレーション設備を備えていることから、下部通水路に酸素を供給することが可能となり、浄化材料による排水の浄化を効果的に促進させることができる。
【００１７】
さらに、本発明の排水用側溝は、底部から所定間隔を隔てて配置された透水性を有する底板と、前記底板の上部に所定間隔を隔てて配置されている透水性を有する上板とを備えている浄水部と、前記浄水部の上下に形成されている通水路と、に導水領域が区画されており、前記浄水部には、排水の流れ方向に対向する向きに、複数のポーラスコンクリート製の邪魔板が配置されていることを特徴としている。
ここで、各邪魔板の間の間隙には、他の浄水材料（特に、軽量であるカーボンファイバ等が好適）を通水可能な状態で設けるものであってもよい。
【００１８】
本発明によれば、浄水部において、排水の流れ方向に対向する向きに、複数の邪魔板を配置しており、当該邪魔板により排水の流勢を低下させ、邪魔板の表面に沿って排水が流れるように構成されている。この邪魔板はポーラスコンクリート製であり、大小多数の空間部を有しているため、当該空間部において微生物やそれ以外の生物が生育することができ、自然に近い生態系を形成させることが可能となることから、排水を生物学的に良好に浄化することができる。また、前記浄水部を全面的にポーラスコンクリートで形成することなく、複数のポーラスコンクリート製の邪魔板を間隙を開けて配置したことから、その重量を軽くすることができ、交換時等においても、その作業を容易に行うことが可能となる。
【００１９】
【発明の実施の形態】
以下、本発明の実施の一形態について、図面を参照して詳細に説明する。
なお、各実施形態の説明において、同一の構成要素に関しては同一の符号を付し、重複した説明は省略するものとする。
【００２０】
［第１実施形態］
図１及び図３に示すように、本発明の排水用側溝１０（第１実施形態）は、コンクリートで形成されている略凹字形状断面の外周部１２と、当該外周部１２の上面を閉塞するための蓋部１８とを備えている。
蓋部１８は、グレーチング、又は、コンクリート板等により形成することが可能であるが、コンクリート板を使用する際には、メンテナンス等のために適切な位置に開口部を設けることが望ましい。
【００２１】
外周部１２の内部には矩形形状の導水領域１１が形成されており、当該外周部１２の両側の側壁面１２ａにおいて、底面部１２ｂから所定高さ（導水領域１１の約１／１０の高さ）の位置には、底板１３を載置するための載置段部１２ｃが形成されている。
前記載置段部１２ｃには、透水性を有するポーラスコンクリート（好ましくは、バイオポーラスコンクリート製（生物が生育可能となるように、連続した微細な孔部を有するポーラスコンクリート）、以下同様）であり、導水領域１１の幅寸法かつ所定長さに形成されている細長矩形形状の底板１３が載置されている。また、前記底板１３には、浄化材料である礫（図示せず）を充填した鉄網籠１５が載置されており、底板１３と鉄網籠１５により形成される領域が浄水部１１ｃとなっている。この底板１３と鉄網籠１５は、設置作業や取替作業を容易に行うことができるように、所定寸法に分割して形成されている。
なお、鉄筋籠１５は、通水可能な状態で内部に礫を充填するために設けるものであるため、その他の材料（例えば、化学合成樹脂製［ポリプロピレン製など］）を使用して籠状に形成したものを使用してもよい。
【００２２】
前記鉄網籠１５と底板１３により、導水領域１１が、鉄網籠１５の上部における上部通水路１１ａと、底板１３の下部における下部通水路１１ｂとに区画されており、当該上部通水路１１ａと下部通水路１１ｂには、その通水断面を侵すような障害物が存在していないため、良好な通水性が保たれている。
なお、鉄網籠１５は、その上面が底面部１２ｂから所定高さ（導水領域１１の約１／２の高さ）の位置となるように設けられている。
【００２３】
また、底板１３の下面から下部通水路１１ｂの内部に、複数本のカーボンファイバ１６（細長部材）の束が所定間隔で延出している（図１（ｂ）参照）。このカーボンファイバ１６の束は上端部で束ねられており、その先端部には球形である係止部１６ａが形成されている。底板１３には、前記係止部１６ａの径と比較して小径の貫通孔１３ａが設けられており、当該係止部１６ａが貫通孔１３ａの上側に位置するように、当該貫通孔１３ａ内にカーボンファイバ１６の束を挿通することにより配設されている。
【００２４】
なお、前記カーボンファイバ１６は、底板１３と別体で設けるものであってもよい。この場合には、図２に示すように、カーボンファイバ１６’が繋止されている枠部材１７を、底板１３’の下部に設置することにより、容易に施工することができることになる。この枠部材１７には、所定間隔で幅方向の横材１７ａが設けられており、当該横材１７ａにカーボンファイバ１６’の先端部が繋止されている構造であるため、底板１３’と別に製造することができることになる。
【００２５】
また、下部通水路１１ｂの所定位置には、その下部に所望の間隔でエアレーション部７１が設けられている。このエアレーション部７１は、下部通水路１１ｂの下部に連設して設けられており、エアレーション部７１には、先端部に空気取入口７４ａを有する吸気管７４と接続されている通気ポンプ７２（エアレーション設備）により酸素を供給することが可能となっている（図３（ｂ）参照）。
なお、通気ポンプ７２は、太陽光発電設備７３により駆動可能となっていれば、エネルギー効率上好適である。
【００２６】
続いて、前記排水用側溝１０の作用について説明する。
前記排水用側溝１０において、通常時には、鉄筋籠１５の内部を通水する程度の水位で排水が流れるようになっているが、そのとき、排水は鉄筋籠１５の内部に導入され、礫の間の間隙を通過しながら下流に流れていく。礫の間隙は狭隘であるため、粒径の大きな粒子状物質はその間隙を通過することができないため、除去される。また、礫の間隙には、微生物やその他の生物が生息していることから、排水は、生物学的にも浄化されることになる。
このとき、所定間隔で設けられているエアレーション部７１からは吸気管７４、通気ポンプ７２及び底面部１２ｂに所定間隔で設けられている貫通孔１２ｄを介して排水中に酸素が供給されており、排水中には前記微生物等の生息環境が良好に保たれていることから、浄化が促進されることになる。
【００２７】
そして、浄化された排水は、透水性の底板１３を通過して、下部通水路１１ｂに流入することになるが、下部通水路１１ｂには、その通水断面を侵すような障害物が存在していないため、高速で下流に流れることになる。
また、下部通水路１１ｂを排水が流下する際に、排水中に有機物が含まれている場合には、水中に浮遊しているカーボンファイバ１６に付着することにより除去されることになる。
なお、礫が目詰まりを起こして浄化能力が低下した場合には、鉄網籠１５を排水用側溝１０の内部から取り出して、内部の礫を洗浄した後、再度、設置することにより、容易に対応することができる。
【００２８】
さらに、大雨等により多量の排水が導水領域１１内に流入した場合には、上部通水路１１ａを用いて導水することができるため、大量の排水を処理することが可能となる。
なお、底面部１２ｂに沈殿した少量の汚物や砂等は、増水時において流すことができ、また、底板１３及び鉄網籠１５を取り出すことにより、清掃することも可能である。
【００２９】
このように、本発明によれば、鉄網籠１５の内部に礫を充填して底板１３の上に載置した構造としているため、排水を鉄筋籠１５に導き、礫の内部を通過させることにより浄化することができる。このとき、鉄筋籠１５及び底板１３を、排水用側溝１０の底面部１２ｂから所定間隔を隔てて配置することにより、導水領域１１を上下の領域に区画して、下部通水路１１ｂとして形成したことから、礫により浄化された排水を底板１３により透水させ、下部通水路１１ｂにおいて円滑に導水することができる。
【００３０】
また、前記排水用側溝１０によれば、底板１３から下部通水路１１ｂの内部にカーボンファイバ１６の束を延出させているため、当該カーボンファイバ１６に排水中の有機物を付着させることができ、下部通水路１１ｂにおいても、効果的に排水の浄化を行うことが可能となる。
【００３１】
［第２実施形態］
図４に示すように、本発明の排水用側溝２０（第２実施形態）は、導水領域２１の断面形状が第１実施形態の排水用側溝１０と異なっている。
すなわち、導水領域２１は、上側２１Ａが矩形断面、下側２１Ｂが長辺を上部とした等脚台形断面（以下、「下部台形断面」という）である、２つの異なる断面を組み合わせた六角形断面形状を呈している。また、透水性の底板２３は、前記下部台形断面の両壁面に密着するように、長辺（上部通水路２１ａの幅寸法に形成されている）を上部とした等脚台形断面形状に形成されており、当該底板２３の下部に下部通水路２１ｂが形成されている（符号２１ｃは浄水部を示す）。そのため、底板２３を載置するための載置段部が両側の壁面部に存在しない構造になっている。
【００３２】
本実施形態の排水用側溝２０では、前記第１実施形態の排水用側溝１０と同様の効果を奏するとともに、底板２３を載置するための載置段部が存在しないため、排水用側溝２０の構造を簡単にすることができる。
【００３３】
［第３実施形態］
図５に示すように、本発明の排水用側溝３０（第３実施形態）は、略凹字形状断面の外周部３２と、当該外周部３２の上面を閉塞するための蓋部３８とを備えている。
外周部３２の内部には矩形形状の導水領域３１が形成されており、当該外周部３２の両側の側壁面３２ａにおいて、底面部３２ｂから所定高さ位置（導水領域３１の約１／１０の高さ）には、底板３３Ｂを載置するための載置段部３２ｃが形成されている。
【００３４】
前記載置段部３２ｃには、透水性を有するポーラスコンクリート製であり、導水領域３１の幅寸法に形成されている細長矩形形状の底板３３Ｂが載置されており、当該底板３３Ｂの上部には、浄化材料である礫を充填した鉄網籠３５が載置されている。そして、鉄筋籠３５の上部には、底板３３Ｂと同一形状である上板３３Ａが載置されており、前記鉄網籠３５と上板３３Ａ及び底板３３Ｂにより形成される領域が浄水部３１ｃとなっている。
これらの上板３３Ａと底板３３Ｂとによって、導水領域３１が、上板３３Ａの上部における上部通水路３１ａと、底板３３Ｂの下部における下部通水路３１ｂとに区画されており、当該上部通水路３１ａと下部通水路３１ｂには、その通水断面を侵すような障害物が存在していないため、良好な通水性が保たれている。
【００３５】
また、前記上板３３Ａ、底板３３Ｂ及び鉄網籠３５は所定寸法に分割して形成されており、加えて、導水方向（長手方向）に所定の間隔を隔てて配置されているため、隣接する鉄網籠３５の間を良好に通水させることができるようになっている（以下、分割されている浄水部を「分割浄水部３１ｃ’」という）。
さらに、上板３３Ａにおける上面の所定位置には、把持取手３９（吊上支持部）が付設されている。
【００３６】
前記排水用側溝３０によれば、透水性を有する上板３３Ａを通過した排水は、前記第１実施形態における排水用側溝１０と同様の作用により浄水されることになる。
また、浄水部３１が長手方向に所望の間隔を隔てて配置されることにより、分割浄水部３１ｃ’が形成されているため、大雨等に起因する排水の増水時において、当該分割浄水部３１ｃ’の間を排水が抵抗なく流れることができることから、さらに、円滑に通水を行わせることが可能となり、大量に排水を処理することができる。加えて、排水中に土砂や礫等が混入した場合であっても、前記分割浄水部３１ｃ’の間等を通過させることが可能となり、排水が詰まること等により円滑に流れなくなることを防止することができる。
【００３７】
また、前記排水用側溝３０によれば、上板３３Ａの上面に把持取手３９が付設されているため、当該把持取手３９を把持して、その交換作業等を容易に行うことができる。なお、鉄網籠３５についても、網部にフック等を係止し、その交換作業等を行い、内部に充填されている礫の洗浄を行うことができる。
【００３８】
［第４実施形態］
図６に示すように、本発明の排水用側溝４０（第４実施形態）は、略凹字形状断面の外周部４２と、当該外周部４２の上面を閉塞するための蓋部４８とを備えている。
外周部４２の内部には矩形形状の導水領域４１が形成されており、当該外周部４２の右側壁面４２ｄから約１／３の幅の箇所（図６参照）には、所定高さ（導水領域４１の約３／４の高さ）の垂直壁４３が立設しており、当該垂直壁４３を境として左右の導水領域に区画されている（左側の導水領域の符号を４００，右側の導水領域の符号を４００’とする）。
【００３９】
そして、左側の側壁面４２ａ及び垂直壁４３の右側壁面において、底面部４２ｂから所定高さ（導水領域４１の約１／１０の高さ）の位置には、底板１３を載置するための載置段部４２ｃ，４３ｃが形成されており、左側導水領域４００には、第１実施形態の排水用側溝１０と同様の構造で、底板１３及び鉄網籠１５が配置されている。なお、底板１３の幅寸法は、左側壁面４２ａと垂直壁４３の間の幅寸法となるように形成されている。
また、右側導水領域４００’は、底板及び鉄網籠を配置せず、全断面を通水可能な領域とすることより、増水時等における予備の通水路として形成されている。
【００４０】
なお、本排水用側溝４０は、通常時には左側導水領域４００のみを排水が流れ、増水時にのみ、垂直壁４３を越流して、右側導水領域４００’に排水が流れるように断面が定められている。
【００４１】
前記排水用側溝４０によれば、前記第１実施形態の排水用側溝１０と同様の効果を奏するとともに、右側導水領域４００’を予備の通水路として形成していることから、洪水等に起因する排水の増水時において、当該右側導水領域４００’を排水が抵抗なく流れることができる。従って、円滑に通水を行わせることが可能となり、大量に排水を処理することができる。
【００４２】
［第５実施形態］
図７に示すように、本発明の排水用側溝５０（第５実施形態）は、略凹字形状断面の外周部５２と、当該外周部５２の上面を閉塞するための蓋部５８とを備えている。
外周部５２の内部には矩形形状の導水領域５１が形成されている。前記外周部５２の底面部５２ｂからは、底板５３Ｂを載置するために、一枚の底板５３Ｂ当たり４体の支持体６１がその四隅を支持する位置に設けられており、当該支持体６１上に、底板５３Ｂと邪魔板６２が一体に形成されている浄化体６３が載置されている。また、前記邪魔板６２の上部には、導水領域５１の幅寸法に形成されている、上板５３Ａが載置されている。
これにより、邪魔板６２が介設されている上板５３Ａと底板５３Ｂとの間に浄水部５１ｃが形成されている。
【００４３】
前記上板５３Ａ、邪魔板６２及び底板５３Ｂは透水性を有するポーラスコンクリート板である。また、上板５３Ａ及び底板５３Ｂは、同一寸法の細長矩形形状であり、所定寸法に分割して形成されている。
また、邪魔板６２は底板５３Ｂの短辺よりやや短い寸法で形成されており、底板５３Ｂの短辺と平行の向きであって、排水の流れ方向に対向する向きに設けられている。そして、複数の邪魔板６２は、その側面が底板５３Ｂの左右の端面と面一になるように左右の交互に設けられており、当該底板５３Ｂの他端側の端面には間隙が形成されている。そのため、隣接する邪魔板６２の間に、排水が蛇行して流れるような流水路６４が形成されるようになっている。
【００４４】
このように、前記上板５３Ａと底板５３Ｂとの存在により、導水領域５１が、上板５３Ａの上部における上部通水路５１ａと、底板５３Ｂの下部における下部通水路５１ｂと、当該上板５３Ａと底板５３Ｂとの間の浄水部５１ｃに区画されており、当該上部通水路５１ａと下部通水路５１ｂには、その通水断面を侵すような障害物が存在していないため、良好な通水性が保たれている。
【００４５】
なお、前記底板５３Ｂと上板５３Ａは、それぞれ、導水領域５１において底面部５２ｂから約１／６の高さ及び１／２の高さの位置に設けられてる。
また、邪魔板６２は、排水の流勢を減速させて、当該排水が邪魔板６２の表面部に沿って、緩やかに下流側に流れていくような流れを形成させるために設けるものであり、その配置には種々の配置を考えることができる。
【００４６】
前記排水用側溝５０によれば、上板５３Ａと底板５３Ｂの間に形成される浄化領域５１ｃにおいてポーラスコンクリート製の邪魔板６２を配置する構成としている。このポーラスコンクリートは、大小多数の空間部を有しているため、当該空間部において微生物やそれ以外の生物が生育することができ、自然に近い生態系を形成させることが可能となるため、上板５３Ａを通過して、浄化領域５１ｃに流入した排水は、邪魔板６２の表面に沿って流下する間に生物学的に浄化されることになる。従って、前記構成によっても良好に水質浄化を行うことができる（底板５３Ｂを通過した後は、第１実施形態の排水用側溝１０と同様）。
【００４７】
また、前記浄化領域５１ｃを、全面的にポーラスコンクリートで形成することなく、複数のポーラスコンクリート製の邪魔板６２を適切に配置したことから、その重量を軽くすることができ、交換時等においても、その作業を容易に行うことが可能となる。
【００４８】
なお、邪魔板６２の浄化能力が低下した場合には、上板５３Ａ及び浄化体６３を排水用側溝５０の内部から取り出して洗浄した後、再度、設置することにより、容易に対応することができる。
また、底面部５２ｂに沈殿した少量の汚物や砂等についても、上板５３Ａ及び浄化体６３を排水用側溝５０から取り出すことにより、清掃することができる。
【００４９】
以上、本発明について、好適な実施形態についての一例を説明したが、本発明は当該実施形態に限られず、本発明の趣旨を逸脱しない範囲で適宜設計変更が可能である。特に、導水領域や通水路の形状や寸法、浄化材料の種類、形状及び寸法等については、適切に定めることができる。
【００５０】
【発明の効果】
本発明によれば、大量の排水を円滑に処理可能であるとともに、浄化材料の交換作業が容易である排水用側溝を提供することが可能になる。
【図面の簡単な説明】
【図１】本発明の排水用側溝（第１実施形態）を示す図であり、（ａ）は側断面図、（ｂ）はＡ部の拡大図である。
【図２】（ａ）は本発明の排水用側溝（第１実施形態）の変形例を示す要部を拡大した正断面図であり、（ｂ）は使用する枠部材の斜視図である。
【図３】（ａ）は図１におけるＢ−Ｂ断面図、（ｂ）は図１におけるＣ−Ｃ断面図である。
【図４】本発明の排水用側溝（第２実施形態）を示す正断面図である。
【図５】本発明の排水用側溝（第３実施形態）を示す図であり、（ａ）は側断面図、（ｂ）図４におけるＡ−Ａ断面図である。
【図６】本発明の排水用側溝（第４実施形態）を示す正断面図である。
【図７】本発明の排水用側溝（第５実施形態）を示す図であり、（ａ）は平面図、（ｂ）は側断面図である。
【図８】従来の排水用側溝を示す側断面図である。
【図９】従来の他の排水用側溝を示す側断面図である。
【符号の説明】
１０，２０，３０，４０，５０      排水用側溝
１１，２１，３１，４１，５１      導水領域
１１ａ，２１ａ，３１ａ，４１ａ，５１ａ    上部通水路
１１ｂ，２１ｂ，３１ｂ，４１ｂ，５１ｂ    下部通水路
１１ｃ，２１ｃ，３１ｃ，４１ｃ，５１ｃ    浄水部
１２，２２，３２，４２，５２      外周部
１３，２３      底板
１５      鉄網籠
１６      カーボンファイバ（細長部材）
３１’    分割浄水部
３３Ａ，５３Ａ    上板
３３Ｂ，５３Ｂ    底板
４００    左側の導水領域
４００’  右側の導水領域
４３      垂直壁
６２      邪魔板
６３      浄化体
６４      流水路
７１      エアレーション部
７２      通気ポンプ
【図１】
0004572047.tif 000002
【図２】
0004572047.tif 000003
【図３】
0004572047.tif 000004
【図４】
0004572047.tif 000005
【図５】
0004572047.tif 000006
【図６】
0004572047.tif 000007
【図７】
0004572047.tif 000008
【図８】
0004572047.tif 000009
【図９】
0004572047.tif 000010